(57)【要約】ＷＬＡＮ受信機のような受信機におけるフェーズエラー補正技術を提供する。そのよううな受信機は、フェーズエラーを持つ入力信号を受信するように接続され、補正されたフェーズエラーを持つ出力信号を生成するように構成されているフェーズエラー補正ユニット（２００）を備える。さらに、この受信機はデータ信号を逆拡散するように構成された逆拡散器（４１０）を備える。この逆拡散器（４１０）はフェーズエラー補正ユニット（２００）に接続され、フェーズエラー補正ユニット（２００）に逆拡散データ信号を供給する。このフェーズエラー補正ユニット（２００）は、逆拡散器データ信号に応じてフェーズエラーを補正するように構成されている。この逆拡散器は、バーカーマッチドフィルタまたはＣＣＫマッチドフィルタ５１０のどちらかでよく、これらのフィルタの一方を選択するためのマルチプレクサを設けることもできる。
2005528855.tif 000002
【特許請求の範囲】
【請求項１】
拡散スペクトラム通信システムの受信機であって、
フェーズエラーを持つ入力信号を受信するように接続され、補正されたフェーズエラーを持つ出力信号を生成するように構成されているフェーズエラー補正ユニット（２００，４００，５００，６００）と、
データ信号を逆拡散するように構成された逆拡散器（４１０，５１０，６１０）とを備え、
前記逆拡散器は前記フェーズエラー補正ユニットに接続され、前記フェーズエラー補正ユニットに前記逆拡散データ信号を供給し、
前記フェーズエラー補正ユニットは前記逆拡散器データ信号に応じて前記フェーズエラーを補正するように構成されている受信機。
【請求項２】
前記フェーズエラー補正ユニットは、
前記逆拡散データ信号を受信するように接続され、現在のフェーズエラーを表すエラー信号を生成するように構成されるエラー測定モジュール（４００，５００，６００）と、
前記エラー信号を受信するように接続され、前記出力信号を生成するように構成されているエラー補正モジュール（２００）とを含む、請求項１記載の受信機。
【請求項３】
前記エラー測定モジュールは前記逆拡散データ信号を時間積分して前記エラー信号を生成するように構成されている、請求項２記載の受信機。
【請求項４】
前記逆拡散器は前記フェーズエラー補正ユニットに接続されて、前記出力信号を前記データ信号として受信する、請求項１記載の受信機。
【請求項５】
前記逆拡散器はバーカーマッチドフィルタ（４１０）である、請求項１記載の受信機。
【請求項６】
受信信号中の周波数エラーを補正するように構成された周波数エラー補正ユニット（１００）をさらに備え、
前記フェーズエラー補正ユニットの前記入力信号は周波数エラーが補正された信号である、請求項１記載の受信機。
【請求項７】
ＩＥＥＥ８０２．１１ｂ準拠である、請求項１記載の受信機。
【請求項８】
請求項１乃至７いずれか１項記載の受信機を備える、拡散スペクトラムデータ信号を処理するための集積回路チップ。
【請求項９】
拡散スペクトラム通信システムの受信機を動作させる方法であって、
入力信号のフェーズエラーを補正するステップ（７２０，７３０）と、
データ信号を逆拡散するステップ（７００）とを含み、
前記フェーズエラー補正は前記逆拡散されたデータ信号に応じて実行される方法。
【発明の詳細な説明】
【技術分野】
【０００１】
本発明は一般にＷＬＡＮ（ワイヤレス・ローカルエリア・ネットワーク）システムなどの拡散スペクトラム通信システムの受信機に関し、さらに詳細には受信された信号のフェーズエラー（phase error）補正に関する。
【背景技術】
【０００２】
ワイヤレス・ローカルエリア・ネットワークは、有線ＬＡＮの拡張または代替として実装される柔軟なデータ通信システムである。無線周波数または赤外線技術を用いて、ＷＬＡＮ装置は空間中においてデータを送信し、受信して、有線接続の必要性を最小限にする。従って、ＷＬＡＮシステムはユーザーの移動性と相互接続性とを組み合わせる。
【０００３】
ほとんどのＷＬＡＮシステムは拡散スペクトラム技術と、信頼性の高いセキュアな通信システムで用いるために開発されたワイドバンド無線周波数技術を用いる。この拡散スペクトラム技術は、バンド幅効率性を信頼性、一貫性およびセキュリティとトレードオフするように設計されている。２つのタイプの拡散スペクトラム無線システム、周波数ホッピング（frequency hopping）とダイレクトシーケンス（direct sequence）システムとがよく用いられる。
【０００４】
２．４ＧＨｚスペクトラムで動作するワイヤレス・ローカルエリア・ネットワークを規定し、規制している標準はＩＥＥＥ８０２．１１標準規格である。より高いデータ速度転送を可能にするために、この標準規格は２．４ＧＨｚスペクトラムで５．５および１１Ｍｂｐｓデータ速度を可能にする８０２．１１ｂ標準規格に拡張された。この拡張はダイレクトシーケンス拡散スペクトラム技術に関する限り従来互換性を持つが、速度向上を可能にするＣＣＫ（Complementary Code Keying、相補符号キーイング）と呼ばれる新しい変調技術を採用している。
【０００５】
他の拡散スペクトラム通信システムと同様にＷＬＡＮシステムでは、送信機から受信機へ到達する間に信号はいくつかのひずみを経験する。送信機と受信機の無線周波数発信器の周波数オフセットによって周波数エラーが発生しうる。
【０００６】
ｓ（ｔ）が送信信号とすると
【数１】
2005528855.tif 000003
ここでωは搬送波周波数、受信信号は、次のようにあらわせる。
【数２】
2005528855.tif 000004
ここでωｅは受信機と送信機の発信器周波数の差であり、φｅは受信機と送信機の発信器の位相差である。
【０００７】
図１に、周波数エラー補正ユニット１００とフェーズエラー補正ユニット１１０とを含むエラー補正構成を示す。この周波数エラー補正ユニット１００は周波数差を補償するために用いられ、このフェーズエラー補正ユニット１１０は残留フェーズエラーを補償する。これについては、以下でさらに説明する。
【０００８】
周波数エラー補正ユニット１００に入力されるベースバンド信号が次のように与えられると仮定する。
【数３】
2005528855.tif 000005
周波数エラー補正ユニット１００の出力信号は、
【数４】
2005528855.tif 000006
ここで、
【数５】
2005528855.tif 000007
は残留周波数エラーをあらわす。この信号は時間に依存する位相を持つ信号と考えられる。
【数６】
2005528855.tif 000008
この式は時間において線形に進行する。［数５］およびφ０は定数である。
【０００９】
ここでフェーズエラー補正ユニット１１０は残りのフェーズエラーを取り除いて、受信した信号が送信された信号になるべく近くなるようにして、復調エラーの可能性を最小限にする、という役割を持つ。フェーズエラー補正ユニット１１０の動作例を図２に示す。
【００１０】
図２に示すフェーズエラー補正ユニットは、次の動作を実行するエラー補正モジュール２００を含む。
【数７】
2005528855.tif 000009
ここで、
【数８】
2005528855.tif 000010
はフェーズエラーの現在の推定である。このエラー補正モジュール２００は、測定モジュール２１０から受信したエラー信号によって制御される。この測定モジュール２１０は補正モジュール２００の出力信号のフェーズエラーを測定し、位相差
【数９】
2005528855.tif 000011
を最小化するようにエラー信号を生成しようとする。
【００１１】
図３に、ＢＰＳＫ（二相位相変調）システムのための状態図（コンステレーションダイアグラム）を示す。この図は説明のために回転してある。この図で中空のシンボルは「理想的な」信号点をあらわし、バツ印は位相オフセットされた受信信号の信号点をあらわす。この理想コンステレーション点と受信したコンステレーション点の間の現在の位相差は、
【数１０】
2005528855.tif 000012
で与えられる。
このエラー信号をできるだけ精密に生成するように、この位相差を決定するのがエラー測定モジュール２１０の役割である。
【００１２】
ｘ（ｋ），ｘ（ｋ−１），ｘ（ｋ−２），．．．を受信したデータサンプルの実数部とし、ｙ（ｋ），ｙ（ｋ−１），ｙ（ｋ−２），．．．を対応する虚数部として、理想的コンステレーション点の実数部および虚数部をそれぞれｘＡおよびｙＡで与えると、フェーズエラーは次の式に従って計算できる。
【数１１】
2005528855.tif 000013
【００１３】
しかしながら、受信した信号には常に付加的なホワイトガウス雑音（white Gaussian noise）が存在するため、測定された信号点は図３に示すバツ印からランダムにはずれる。これを示すために、付加的なノイズに起因して、測定されたコンステレーション点群がある可能性をもってランダムに分布する領域を示す範囲を図３のバツ印の回りに示す。この領域はある半径をもって示されており、この半径は通信システムの現在のチャンネルの状態に依存して変化する。
【００１４】
従って、上述の位相差の測定は付加的なノイズに起因する不都合があり、ランダムな測定誤差（エラー）が存在する。ノイズ領域の半径が大きくなるにつれて、測定誤差も大きくなる。コンステレーション図における理想信号点と受信した信号点、つまりバツ印との間の距離がノイズ領域の半径を超えなければ、測定誤差は最高１００％になりうることに注意しなければならない。
【００１５】
もし位相差が精密に測定できなければ、測定モジュール２１０はエラー信号を正確に生成することはできないことはあきらかである。従って、従来の受信機におけるフェーズエラー補正動作はしばしば不完全であり、システム全体の信頼性を低下させ、受信機の静定時間を減少させる。
【発明の開示】
【発明の概要】
【００１６】
フェーズエラー補正を実行する際、特にノイズの多いデータサンプルの場合に、より高い制御性を持つ改良された受信機および制御方法を提供する。
【００１７】
一態様に従って、拡散スペクトラム通信システムの受信機を提供する。この受信機は、フェーズエラーを持つ入力信号を受信するように接続され、補正されたフェーズエラーを持つ出力信号を生成するように構成されているフェーズエラー補正ユニットを含む。この受信機はさらにデータ信号を逆拡散するように構成された逆拡散器を含む。この逆拡散器はフェーズエラー補正ユニットに接続され、フェーズエラー補正ユニットに逆拡散データ信号を供給する。このフェーズエラー補正ユニットは逆拡散器データ信号に応じてフェーズエラーを補正するように構成されている。
【００１８】
別の実施形態では、前記逆拡散器はＣＣＫ（相補符号変調）マッチド（matched）フィルタである。
また、別の実施形態では、前記ＣＣＫマッチドフィルタはウォルシュツリー（Walsh tree）を用いて実装される。
さらに別の実施形態では、前記ＣＣＫマッチドフィルタはＣＣＫ逆相関器（decorrelator）を含み、当該ＣＣＫ逆相関器はその位相出力を前記フェーズエラー補正ユニットに供給する。
【００１９】
別の実施形態では、前記逆拡散器はバーカーマッチド（Baker matched）フィルタ、ＣＣＫ（相補符号変調）マッチドフィルタ、および前記バーカーマッチドフィルタと前記ＣＣＫマッチドフィルタとに接続された選択ユニットを含み、前記選択ユニットは前記バーカーマッチドフィルタおよび前記ＣＣＫマッチドフィルタのいずれか一方を選択して、選択したフィルタの出力を前記フェーズエラー補正ユニットに供給するように構成される。
【００２０】
別の実施形態では、前記選択ユニットは、前記バーカーマッチドフィルタおよび前記ＣＣＫマッチドフィルタのうちのどちらを選択するべきかを示す選択信号を受信するように接続される。
【００２１】
別の実施形態では、受信機は、現在その受信機が受信している信号に関連するデータ転送モードに応じて前記選択信号を生成するように構成されたコントローラをさらに含む。
【００２２】
別の実施形態では、前記コントローラは現在使用されているデータ転送モードのトラックを保持するように構成され、データ転送モードが変わった場合には前記選択信号を切り替えることができる。
【００２３】
別の実施形態では、受信機は、逆拡散の対象となる前記データ信号のデータ速度に応じて、前記選択信号を生成するように構成されたコントローラをさらに含む。
【００２４】
別の実施形態では、前記コントローラは、１Ｍｂｐｓまたは２Ｍｂｐｓのデータ速度の場合に、前記バーカーマッチドフィルタを選択するように前記選択ユニットに指示するための前記選択信号を生成するように構成されている。
【００２５】
別の実施形態では、前記コントローラは、５．５Ｍｂｐｓまたは１１Ｍｂｐｓのデータ速度の場合に、前記ＣＣＫマッチドフィルタを選択するように前記選択ユニットに指示するための前記選択信号を生成するように構成されている。
【００２６】
別の実施形態では、前記コントローラは現在使用されているデータ速度のトラックを保持するように構成され、データ速度が変わった場合には前記選択信号を切り替えることができる。
【００２７】
他の態様において、前記受信機はＷＬＡＮ受信機である。
【００２８】
本発明のさらに別の態様において、拡散スペクトラムデータ信号を処理するための集積回路チップを提供することができる。この集積回路チップは上記実施形態のいずれかに従った受信機を含む。
【００２９】
本発明の他の態様において、ＷＬＡＮ受信機を制御する方法が提供される。本方法は、入力信号中のフェーズエラーを補正するステップと、データ信号を逆拡散するステップとを含む。このフェーズエラー補正は逆拡散データ信号に応じて実行される。
【００３０】
本発明のさらに他の態様において、拡散スペクトラム通信システムの受信機を制御する方法が提供される。本方法は、入力信号中のフェーズエラーを補正するステップと、データ信号を逆拡散するステップとを含む。このフェーズエラー補正は逆拡散データ信号に応じて実行される。
【００３１】
別の実施形態において、フェーズエラーを補正するステップは、前記逆拡散データ信号に基づいて、現在のフェーズエラーを表すエラー信号を生成するステップと、前記エラー信号に基づいて補正された出力信号を生成するステップとを含む。
【００３２】
別の実施形態では、前記エラー信号を生成するステップは、前記逆拡散データ信号を時間積分するステップを含む。
【００３３】
別の実施形態では、前記データ信号は前記入力信号のフェーズエラーを補正することによって生成された信号である。
【００３４】
別の実施形態では、データ信号を逆拡散するステップはバーカーマッチドフィルタを動作させるステップを含む。
【００３５】
別の実施形態では、データ信号を逆拡散するステップはＣＣＫ（相補符号変調）マッチドフィルタを動作させるステップを含む。
【００３６】
別の実施形態では、前記ＣＣＫマッチドフィルタはウォルシュツリーを用いて実装される。
【００３７】
別の実施形態では、前記ＣＣＫマッチドフィルタは位相出力を提供するＣＣＫ逆相関器を含み、前記フェーズエラー補正は前記位相出力に応じて実行される。
【００３８】
別の実施形態では、前記データ信号を逆拡散するステップは、バーカーマッチドフィルタを動作させるステップ、ＣＣＫ（相補符号変調）マッチドフィルタを動作させるステップ、および前記バーカーマッチドフィルタおよびＣＣＫマッチドフィルタの一方を選択するステップを含み、前記フェーズエラー補正は前記選択されたフィルタの出力に応じて実行される。
【００３９】
別の実施形態では、前記フィルタのうちの一つを選択するステップは、コントローラから選択信号を受信するステップを含み、前記選択信号は前記バーカーマッチドフィルタおよび前記ＣＣＫマッチドフィルタのうちのどちらを選択するべきかを示す。
【００４０】
別の実施形態では、前記方法は前記ＷＬＡＮ受信機によって現在受信されている信号に関するデータ転送モードに応じて前記選択信号を生成するように前記コントローラを動作させるステップをさらに含む。
【００４１】
別の実施形態では、前記コントローラを動作させるステップは、現在使用されているデータ転送モードのトラックを保持するステップと、データ転送モードが変わった場合には前記選択信号を切り替えるステップとを含む。
【００４２】
別の実施形態では、前記方法は、逆拡散の対象となる前記データ信号のデータ速度に応じて、前記選択信号を生成するように前記コントローラを動作させるステップをさらに含む。
【００４３】
別の実施形態では、前記コントローラを動作させるステップは、１Ｍｂｐｓまたは２Ｍｂｐｓのデータ速度の場合に、前記バーカーマッチドフィルタを選択するための前記選択信号を生成するステップを含む。
【００４４】
別の実施形態では、前記コントローラを動作させるステップは、５．５Ｍｂｐｓまたは１１Ｍｂｐｓのデータ速度の場合に、前記ＣＣＫマッチドフィルタを選択するための前記選択信号を生成するステップを含む。
【００４５】
別の実施形態では、前記コントローラを動作させるステップは、現在使用されているデータ速度のトラックを保持するステップと、データ速度が変わった場合には前記選択信号を切り替えるステップとを含む。
【００４６】
別の実施形態では、本方法は、受信した信号中の周波数エラーを補正するステップをさらに含み、前記入力信号は補正された周波数エラーを持つ信号である。
【００４７】
別の実施形態では、本方法はＩＥＥＥ８０２．１１ｂ準拠のＷＬＡＮ受信機を動作させるように構成されている。
【００４８】
添付の図面は、本発明の原理を説明するために、本明細書に組み込まれ、その一部を構成する。これらの図面は本発明を限定するものと解釈するべきではなく、本発明がいかに生産され、使用されるかの例を示し、かつ説明するものにすぎない。さらなる特徴および利点は、添付の図面に示されているように、以下のさらに詳細な本発明の説明で明らかになる。
【発明を実施するための最良の形態】
【００４９】
図面を参照して、本発明の例示的な実施形態について説明する。類似した要素および構造は類似した参照符号で示す。
【００５０】
図面を参照して、図４に第１実施形態に従ったＷＬＡＮ受信機の構成要素を示す。エラー補正モジュール２００および測定モジュール４００を含むフェーズエラー補正ユニット２００，４００が提供される。この測定モジュール４００はエラー信号を補正モジュール２００に対して発行し、このエラー信号はフェーズエラーを補正するために用いられる。従って、この第１実施形態に従ったフェーズエラー補正ユニットの構成は図２のそれに類似しているが、測定モジュール４００は異なることに注意すべきである。その理由は測定モジュール４００がバーカーマッチドフィルタ４１０の出力を受信するように接続されているため、測定モジュール４００はバーカーマッチドフィルタ４１０から出力された逆拡散データ信号に基づいてエラー信号を生成するように構成される必要があるからである。
【００５１】
バーカーマッチドフィルタ４１０は、受信したデータサンプルの時間依存の実数部および虚数部、つまりｘ（ｔ）およびｙ（ｔ）を受信すると仮定すると、バーカーマッチドフィルタ４１０は次のような出力を生成する。
【数１２】
2005528855.tif 000014
【００５２】
測定モジュール４００は次の式に従ってエラー信号を生成する。
【数１３】
2005528855.tif 000015
【００５３】
バーカーマッチドフィルタ４１０の出力は常時、現在受信しているデータサンプルの実数部および虚数部に依存するのみならず、最高で１０個前のデータサンプルのそれぞれの値にも依存するということに注意するべきである。従って、付加的な白色雑音（ホワイトノイズ）の影響は平均化されるため、測定モジュール４００はより精密なエラー信号を生成することができる。このことによって、従来のサンプルベースの手法に比べて、フェーズエラー補正の質をよりよく制御することができる。さらに、バーカーマッチドフィルタ４１０は一般に受信機にすでに設けられているために、この目的のための回路の追加が実質的に必要ない。
【００５４】
図５に、バーカーマッチドフィルタ４１０をＣＣＫマッチドフィルタ５１０で置き換えた点で、第１実施形態と異なる第２実施形態を示す。上述のとおり、ＣＣＫはＩＥＥＥ８０２．１１ｂ標準規格で規定された、５．５および１１Ｍｂｐｓのデータ速度を可能にする変調技術である。このＣＣＫ変調は一般的に複素シンボル構造符号を用いたＭＯＫ（Ｍアレイ直交キーイング、M-ary Orthogonal Keying）変調の変形として説明できる。このＣＣＫ技術はマルチチャンネル動作を可能にし、８０２．１１バーカー符号拡散関数と同じチップレートおよびスペクトラム形状を採用する。ＣＣＫは、Ｍ固有信号コードワード群の一つを送信のために選択する、Ｍアレイコードワード変調の一形態であると考えられる。
【００５５】
従って、第１実施形態はバーカーマッチドフィルタ４１０を使用し、８０２．１１準拠のＷＬＡＮシステムまたは８０２．１１ｂ準拠のＷＬＡＮ受信機の１または２Ｍｂｐｓモードにおけるフェーズエラーを補正するのに最適であるのに対し、図５に示す第２実施形態の技術は８０２．１１ｂ準拠の受信機の５．５および１１Ｍｂｐｓモードに用いるのが最適である。
【００５６】
このＣＣＫマッチドフィルタ５１０はウォルシュツリー（Walsh tree）を用いて実装される。このウォルシュツリーはＣＣＫ相関器（correlator）およびＣＣＫ比較器（comparator）を含んで構成され、ソフト判定最尤デコーディング（soft decision maximum likelihood decoding）を使用する。この比較器は局所極大（local maximum）を見つけるために用いられる。この実施形態では、ＣＣＫマッチドフィルタ５１０から出力され、測定モジュール５００に供給される逆拡散信号はＣＣＫ逆相関器の位相出力である。
【００５７】
第２実施形態の回路は第１実施形態と同じ利点を実現しうることに注意するべきである。つまり、逆拡散信号を用いることによってガウス雑音は抑制され、信号が雑音床（noise floor）から浮揚する。サンプルベースのフェーズエラー補正を回避することによって、位相差の測定は、フェーズエラー補正とともに、より精密に実行可能である。これによって、復調エラーを減少させ、ＷＬＡＮ受信機の全体的な性能向上につながる。
【００５８】
図６は、受信機のどのデータ転送モードでも上記の利点を実現可能な第３実施形態を示す。現在の転送モードに応じて、例えばデータ速度に応じて、バーカーマッチドフィルタ４１０およびＣＣＫマッチドフィルタ５１０の一方を選択する選択ユニットとして動作するマルチプレクサ６１０が提供される。このマルチプレクサ６１０は、モードのトラックを保持し、それによってデータ速度が変化（例えば２Ｍｂｐｓから５．５Ｍｂｐｓ）した場合にこの回路があるフィルタから他のフィルタに切り替えることができるようにするコントローラ６２０から選択信号を受信する。
【００５９】
上記の実施形態において、測定モジュール４００，５００，６００は現在のフェーズエラー推定を実現するために位相差を積分するように構成されている。
【数１４】
2005528855.tif 000016
ここでａおよびｂは定数である。積分はローパスフィルタを用いて実行できる。そしてここで用いられる区間積分（term integration）は与えられた時間期間において平均化を行う、または以前に平滑化された値と現在の値との加重平均を計算する任意の平滑化アルゴリズムを含む。これらの技術は影響を及ぼす付加的なホワイトノイズをよりいっそう抑制する。
【００６０】
図７は、これまでに説明した実施形態のうちの一つの回路を動作させる主要なプロセスを示す流れ図である。ステップ７００では、受信データ信号はバーカーマッチドフィルタ４１０またはＣＣＫマッチドフィルタ５１０のどちらかを用いて逆拡散される。ここで、他のどのような種類の逆拡散（または復調）技術でも同様に使用可能であることに注意するべきである。信号はすでに受信機に設けられている逆拡散器を用いてもっともよく逆拡散することができる。
【００６１】
次にステップ７１０でこの逆拡散信号を積分する。ステップ７２０でエラー信号を生成する。ここで、逆拡散信号を積分し、それに基づいてエラー信号を生成する代わりに、先行する積分ステップなしにエラー信号を生成可能であることに注意するべきである。さらに、他の実施形態では、エラー信号を積分してもよい。
【００６２】
最後に、ステップ７３０で、生成されたエラー信号を用いて、フェーズエラー補正を実行する。そしてプロセスはステップ７００へ戻り、補正モジュール２００の出力が逆拡散器４１０、５１０に与えられる。
【００６３】
図８に、第３実施形態において、バーカーマッチドフィルタ４１０およびＣＣＫマッチドフィルタ５１０の一方を選択するプロセスを示す。ステップ８００で、コントローラ６２０がデータ速度を決定する。次に、ステップ８１０で、データ転送が１または２Ｍｂｐｓモードで実行されているか否かをチェックし、もしそうであればマルチプレクサ６１０はバーカーマッチドフィルタ４１０に切り替えるように指示される（ステップ８２０）。ステップ８３０において、データ転送が５．５または１１Ｍｂｐｓモードで実行されていると判定されたならば、マルチプレクサ６１０はステップ８４０でＣＣＫマッチドフィルタ５１０に切り替えられる。
【００６４】
上記の説明から明らかなように、ＷＬＡＮシステムおよび他の拡散スペクトラム通信システムに適用可能であり、受信したデータサンプル中の付加雑音の影響を抑制することによって復調の信頼性および静定時間を改善するフェーズエラー補正技術が提供される。この技術は特に８０２．１１ｂ準拠システムにおいて使用可能である。適用する符号化技術に関する制限はないので、これら実施形態の上述の利点をＢＰＳＫ（バイナリ位相偏移キーイング）、ＱＰＳＫ（１／４位相偏移キーイング）およびＤＱＰＳＫ（ディファレンシアルＱＰＳＫ）を含む他の技術において達成することができる。
【産業上の利用可能性】
【００６５】
本発明をコンピュータ要素に有利に適用可能であり、従って産業上のプロセスおよび製品に実装可能であることは明らかである。
【図面の簡単な説明】
【００６６】
【図１】周波数エラーおよびフェーズエラーを補正するのに用いられる、従来の受信機の構成要素を示すブロック図である。
【図２】従来のフェーズエラー補正ユニットの主要要素を示す図。
【図３】理想的な受信信号点群を示す位相コンステレーションダイアグラム。
【図４】第１実施形態に従った、フェーズエラー補正回路のブロック図。
【図５】第２実施形態に従った、フェーズエラー補正回路のブロック図。
【図６】第３実施形態に従った、フェーズエラー補正回路のブロック図。
【図７】実施形態の一つに従った回路の動作プロセスを示す流れ図。
【図８】第３実施形態に従った回路において実行されるフィルタ選択プロセスを示す流れ図。
【図１】
2005528855.tif 000017
【図２】
2005528855.tif 000018
【図３】
2005528855.tif 000019
【図４】
2005528855.tif 000020
【図５】
2005528855.tif 000021
【図６】
2005528855.tif 000022
【図７】
2005528855.tif 000023
【図８】
2005528855.tif 000024
【手続補正書】
【提出日】平成16年4月2日(2004.4.2)
【手続補正１】
【補正対象書類名】特許請求の範囲
【補正対象項目名】全文
【補正方法】変更
【補正の内容】
【特許請求の範囲】
【請求項１】
拡散スペクトラム通信システムの受信機であって、
フェーズエラーを持つ入力信号を受信するように接続され、補正されたフェーズエラーを持つ出力信号を生成するように構成されているフェーズエラー補正ユニット（２００，４００，５００，６００）と、
データ信号を逆拡散するように構成された逆拡散器（４１０，５１０，６１０）とを備え、
前記逆拡散器は前記フェーズエラー補正ユニットに接続され、前記フェーズエラー補正ユニットに前記逆拡散データ信号を供給し、
前記フェーズエラー補正ユニットは前記逆拡散器データ信号に応じて前記フェーズエラーを補正するように構成され、
前記フェーズエラー補正ユニットは、
前記逆拡散データ信号を受信するように接続され、現在のフェーズエラーを表すエラー信号を生成するように構成されるエラー測定モジュール（４００，５００，６００）と、
前記エラー信号を受信するように接続され、前記出力信号を生成するように構成されているエラー補正モジュール（２００）とを含む、受信機。
【請求項２】
前記逆拡散器はＣＣＫマッチドフィルタ（５１０）である、請求項１記載の受信機。
【請求項３】
前記エラー測定モジュールは前記逆拡散データ信号を時間積分して前記エラー信号を生成するように構成されている、請求項２記載の受信機。
【請求項４】
前記逆拡散器は前記フェーズエラー補正ユニットに接続されて、前記出力信号を前記データ信号として受信する、請求項１記載の受信機。
【請求項５】
前記逆拡散器はバーカーマッチドフィルタ（４１０）である、請求項１記載の受信機。
【請求項６】
受信信号中の周波数エラーを補正するように構成された周波数エラー補正ユニット（１００）をさらに備え、
前記フェーズエラー補正ユニットの前記入力信号は周波数エラーが補正された信号である、請求項１記載の受信機。
【請求項７】
ＩＥＥＥ８０２．１１ｂ準拠である、請求項１記載の受信機。
【請求項８】
請求項１乃至７いずれか１項記載の受信機を備える、拡散スペクトラムデータ信号を処理するための集積回路チップ。
【請求項９】
拡散スペクトラム通信システムの受信機を動作させる方法であって、
入力信号のフェーズエラーを補正し、フェーズエラーが補正された出力信号を生成するステップ（７２０，７３０）と、
データ信号を逆拡散するステップ（７００）とを含み、
前記フェーズエラー補正は前記逆拡散されたデータ信号に応じて実行され、
前記逆拡散されたデータ信号は、フェーズエラー補正ユニットに供給され、
前記フェーズエラー補正ユニットは、前記逆拡散データ信号を受信するように接続され、現在のフェーズエラーを表すエラー信号を生成するように構成されるエラー測定モジュール（４００，５００，６００）と、前記エラー信号を受信するように接続され、前記出力信号を生成するように構成されているエラー補正モジュール（２００）とを含む、方法。
【手続補正２】
【補正対象書類名】図面
【補正対象項目名】図４
【補正方法】変更
【補正の内容】
【図４】
2005528855.tif 000025
【手続補正３】
【補正対象書類名】図面
【補正対象項目名】図５
【補正方法】変更
【補正の内容】
【図５】
2005528855.tif 000026
【手続補正４】
【補正対象書類名】図面
【補正対象項目名】図６
【補正方法】変更
【補正の内容】
【図６】
2005528855.tif 000027
【国際調査報告】
2005528855.tif 000028
2005528855.tif 000029
2005528855.tif 000030